(57)【要約】【課題】外壁面の段差を跨いだ状態で軒天板が設けられた構成において、その軒天板を外壁に対して好適に取り付けることができる軒天板支持構造を提供する。【解決手段】建物１０において、屋根部１２の軒部４５の下方には軒天板４６が設けられている。軒天板４６は、支持ブラケット５１を介して外壁１１に対して固定されている。外壁１１は、横並びに配置された柄無し壁面材２１Ａと柄付き壁面材２１Ｂとを有し、柄付き壁面材２１Ｂの壁面は、柄無し壁面材２１Ａの壁面よりも屋外側に突出した位置に配置されている。支持ブラケット５１は、壁面材２１Ａ，２１Ｂに固定された壁固定部５３と、軒天板４６を支持する軒天支持部５４とを有しており、柄無し壁面材２１Ａに対する支持ブラケット５１の固定部分においては、壁固定部５３と柄無し壁面材２１Ａとの間にスペーサ部材７１が挟み込まれた状態になっている。【選択図】      図１
2015094144.tif 000002
【特許請求の範囲】
【請求項１】
建物の軒天部分に軒天板が設けられ、該の軒天板を支持する支持ブラケットが外壁に取り付けられており、前記支持ブラケットは、前記外壁に固定された壁固定部と、前記軒天板を支える軒天支持部とを有している建物の軒天板支持構造であって、
前記外壁は、第１壁面と、該第１壁面に横並びに配置され同第１壁面よりも屋外側に突出した位置に配置された第２壁面とを外壁面として有しており、
前記軒天板は、前記第１壁面と前記第２壁面との間の段差を前記外壁の壁幅方向に跨いだ状態で設けられ、前記第１壁面及び前記第２壁面に対して取り付けられた各支持ブラケットにより支持されており、
前記第１壁面に取り付けられた前記支持ブラケットの前記壁固定部と当該第１壁面との間には、前記第１壁面に対する前記支持ブラケットの位置を調整するスペーサ部材が挟まった状態で設けられていることを特徴とする建物の軒天板支持構造。
【請求項２】
前記スペーサ部材の上端は、前記壁固定部の上端と同じ高さ位置に配置されていることを特徴とする請求項１に記載の建物の軒天板支持構造。
【請求項３】
前記スペーサ部材は、板面同士で重ねられた複数の板材を有しており、これら板材が前記外壁の壁厚み方向に並ぶ向きで前記壁固定部と前記第１壁面との間に配置されていることを特徴とする請求項１又は２に記載の建物の軒天板支持構造。
【請求項４】
前記スペーサ部材の前記複数の板材には、第１板材と、該第１板材よりも厚み寸法が小さい第２板材とが含まれていることを特徴とする請求項３に記載の建物の軒天板支持構造。
【請求項５】
前記外壁は、当該外壁の壁面を形成する外壁面材として、前記第１壁面を形成する第１壁面材と、前記第２壁面を形成する第２壁面材とを有しており、
前記第１壁面材と前記第２壁面材とは、前記外壁の壁幅方向において横並びに配置されていることを特徴とする請求項１乃至４のいずれか１項に記載の建物の軒天板支持構造。
【請求項６】
前記外壁は、前記外壁面材の屋内側に設けられ、該外壁面材を支持する外壁下地を有しており、
前記外壁面材は、前記外壁下地に固定された面材本体を有しており、
前記第２壁面材は、前記面材本体の屋外側に設けられ且つ前記第２壁面において模様としての柄を形成している柄形成層を有していることで、前記第１壁面材よりも厚み寸法が大きくされており、
前記スペーサ部材の厚み寸法は前記柄形成層の厚み寸法と同じにされていることを特徴とする請求項５に記載の建物の軒天板支持構造。
【請求項７】
前記外壁と前記軒天板との境界部には、前記第１壁面と前記第２壁面との間の段差を跨いで前記壁幅方向に沿って延びている見切部材が設けられており、
前記見切部材は、前記第１壁面及び前記第２壁面に対して取り付けられた各支持ブラケットに掛け渡された状態で、それら支持ブラケットにより支持されていることを特徴とする請求項１乃至６のいずれか１項に記載の建物の軒天板支持構造。
【請求項８】
前記軒天板は、前記軒天支持部の上に載せられた状態で前記支持ブラケットにより支持されており、
前記見切部材は、前記軒天支持部を下方から覆い隠した状態で設けられていることを特徴とする請求項７に記載の建物の軒天板支持構造。
【請求項９】
前記壁固定部及び前記スペーサ部材を貫通して前記外壁に打ち込まれていることで、前記支持ブラケットを前記外壁に固定している固定具を備えていることを特徴とする請求項１乃至８のいずれか１項に記載の建物の軒天板支持構造。
【発明の詳細な説明】
【技術分野】
【０００１】
本発明は、建物の軒天板支持構造に関するものである。
【背景技術】
【０００２】
住宅等の建物において、屋根の軒部に対して軒天井が設けられていることがある。軒天井においては、軒天板が外壁と屋根の軒先とに架け渡された状態で設けられており、その軒天板により軒天部分の天井面が形成されている。軒天板の軒先側端部は例えば軒先の鼻隠し部に対して固定され、外壁側端部は例えばブラケットを介して外壁に対して固定されている。軒天板の外壁側端部がブラケットにより支持されている構成としては、ブラケットが外壁の上端部から下方に離間した位置において外壁にビス等により取り付けられている構成がある（例えば特許文献１）。
【先行技術文献】
【特許文献】
【０００３】
【特許文献１】特開２００９−１９１４９３号公報
【発明の概要】
【発明が解決しようとする課題】
【０００４】
ここで、外壁が横並びに配置された複数の外壁面材を有している構成では、隣り合う外壁面材の厚み寸法が異なることなどに起因して、外壁の高さ方向に沿って延びる段差が形成されていることがある。例えば、隣り合う外壁面材のうち、厚み寸法の大きい方の壁面材の屋外側面が厚み寸法の小さい方の壁面材の屋外側面が屋外側に突出した位置に配置されている構成では、それら壁面材に対して壁幅方向に掛け渡された状態で軒天板が設けられていると、薄い方の壁面材と軒天板との間の隙間が、厚い方の壁面材と軒天板との間の隙間より大きくなる。つまり、軒天板との間の離間距離が、薄い方の壁面材と厚い方の壁面材とで異なる。
【０００５】
そこで、例えば、薄い方の壁面材に取り付けられる支持ブラケットとして、厚い方の壁面材に取り付けられる支持ブラケットよりも大型のものを選択するなど、軒天板と壁面材との間の離間距離に合わせて複数種類の支持ブラケットを使い分けることが考えられる。
【０００６】
ところが、複数種類の支持ブラケットを使い分ける場合、複数種類の支持ブラケットを準備することや、建築現場において作業者が複数種類の支持ブラケットを持ち歩くことで、外壁に対する軒天板の固定に関して作業負担が増加することが懸念される。また、複数の支持ブラケットを専用品として製作することでコスト負担の増加も懸念される。
【０００７】
本発明は、上記例示した事情等に鑑みてなされたものであり、外壁面の段差を跨いだ状態で軒天板が設けられた構成において、その軒天板を外壁に対して好適に取り付けることができる軒天板支持構造を提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００９】
第１の発明の建物の軒天板支持構造は、建物（建物１０）の軒天部分に軒天板（軒天板４６）が設けられ、該の軒天板を支持する支持ブラケット（支持ブラケット５１）が外壁（外壁１１）に取り付けられており、前記支持ブラケットは、前記外壁に固定された壁固定部（壁固定部５３）と、前記軒天板を支える軒天支持部（軒天支持部５４）とを有している建物の軒天板支持構造であって、前記外壁は、第１壁面（柄無し壁面材２１Ａの壁面、第１壁面材８１Ａの壁面）と、該第１壁面に横並びに配置され同第１壁面よりも屋外側に突出した位置に配置された第２壁面（柄付き壁面材２１Ｂの壁面、第２壁面材８１Ｂの壁面）とを外壁面として有しており、前記軒天板は、前記第１壁面と前記第２壁面との間の段差を前記外壁の壁幅方向に跨いだ状態で設けられ、前記第１壁面及び前記第２壁面に対して取り付けられた各支持ブラケットにより支持されており、前記第１壁面に取り付けられた前記支持ブラケットの前記壁固定部と当該第１壁面との間には、第１壁面材に対する前記支持ブラケットの位置を調整するスペーサ部材（スペーサ部材７１）が挟まった状態で設けられていることを特徴とする。
【００１０】
第１の発明によれば、第２壁面が第１壁面より屋外側に突出した位置に配置された外壁において、スペーサ部材と軒天板との間の離間距離が、第１壁面と軒天板との間の離間距離と同じになっているため、第２壁面に対して取り付ける支持ブラケットを第１壁面に対して取り付ける支持ブラケットより大型のものとする必要がない。この場合、外壁面の段差を跨いだ状態で軒天板が設けられた構成であっても、複数種類の支持ブラケットを専用品として準備したり使い分けたりする必要がないため、外壁に対する軒天板の固定に関して作業負担やコスト負担の増加を抑制できる。つまり、軒天板を外壁に対して好適に取り付けることができる。
【００１１】
第２の発明は、第１の発明において、前記スペーサ部材の上端は、前記壁固定部の上端と同じ高さ位置に配置されている。
【００１２】
外壁の壁面に支持ブラケットを取り付ける場合、作業者は、その支持ブラケットの取り付け位置を示す目印を壁面に付しておき、その目印を基準として支持ブラケットの位置合わせを行うと考えられる。ここで、壁面と支持ブラケットとの間にスペーサ部材を挟み込む場合、支持ブラケットの取り付け位置を示す目印がスペーサ部材で覆い隠されることが懸念される。
【００１３】
これに対して、第２の発明によれば、スペーサ部材と壁固定部とが上端同士で位置合わせされているため、壁固定部の上端の高さ位置を示す目印を第１壁面に付しておけば、その目印を基準としてスペーサ部材の上端の位置合わせを行い、さらに、スペーサ部材の上端を基準として壁固定部の上端の位置合わせを行うことができる。これにより、支持ブラケットがスペーサ部材を挟んで第１壁面に取り付けられる構成であっても、スペーサ部材及び支持ブラケットの両方を適正な位置に配置することができる。
【００１４】
第３の発明は、第１又は第２の発明において、前記スペーサ部材は、板面同士で重ねられた複数の板材（板材７２，７３）を有しており、これら板材が前記外壁の壁厚み方向に並ぶ向きで前記壁固定部と前記第１壁面との間に配置されている。
【００１５】
第３の発明によれば、板材の数を変更するという容易な作業を行うことで、スペーサ部材の屋外側面が第２壁面に面一になるように、スペーサ部材の厚み寸法を調整することができる。この場合、第１壁面と軒天板との間の離間距離に合わせた専用品としてスペーサ部材を製作する必要がなく、汎用品の板材を複数用いることでスペーサ部材を形成することができるため、コスト負担の低減を実現できる。
【００１６】
第４の発明は、第３の発明において、前記スペーサ部材の前記複数の板材には、第１板材（第１板材７２）と、該第１板材よりも厚み寸法が小さい第２板材（第２板材７３）とが含まれている。
【００１７】
壁幅方向において、第１壁面及び第２壁面の少なくとも一方が複数配置されていることで、第１壁面と第２壁面との間の段差が壁厚み方向に形成されている構成では、壁厚み方向における段差の高さ寸法が、第１壁面や第２壁面を形成する壁面材の製造誤差や壁面材の設置誤差などに起因して段差ごとに異なっている場合が想定される。この場合、全ての段差に対して同じ厚み寸法を有するスペーサ部材を設置すると、段差によってはスペーサ部材の屋外側面が第２壁面と面一にならず、軒天板に対する支持ブラケットの位置がずれて、支持ブラケットの軒天支持部が軒天板を適正な状態で支持できないことが懸念される。
【００１８】
これに対して、第４の発明によれば、板材の数を変更することでスペーサ部材の厚み寸法を調整する場合に、第１板材及び第２板材のいずれの数を変更するのかを選択することで、スペーサ部材の厚み寸法の調整幅を増減させることができる。例えば、第２壁面とスペーサ部材の屋外側面との間に僅かな段差が生じている場合に、その段差の高さ寸法が第１板材の厚み寸法より小さい一方で第２板材の厚み寸法と同じ場合、第２板材の数を増減させることで、スペーサ部材の屋外側面を第２壁面と面一に配置することができる。これにより、支持ブラケットの軒天支持部に軒天板を適正な状態で支持させることができる。
【００１９】
第５の発明は、第１乃至第４のいずれかの発明において、前記外壁は、当該外壁の壁面を形成する外壁面材（外壁面材２１）として、前記第１壁面を形成する第１壁面材（柄無し壁面材２１Ａ、第１壁面材８１Ａ）と、前記第２壁面を形成する第２壁面材（柄付き壁面材２１Ｂ、第２壁面材８１Ｂ）とを有しており、前記第１壁面材と前記第２壁面材とは、前記外壁の壁幅方向において横並びに配置されている。
【００２０】
第５の発明によれば、第１壁面材と第２壁面材との厚み寸法が異なることで第１壁面と第２壁面との間に段差が生じている外壁に対して、スペーサ部材を使用することで支持ブラケットを介して軒天板を好適に取り付けることができる。
【００２１】
第６の発明は、第５の発明において、前記外壁は、前記外壁面材の屋内側に設けられ、該外壁面材を支持する外壁下地（下地部材２３）を有しており、前記外壁面材は、前記外壁下地に固定された面材本体（面材本体２４）を有しており、前記第２壁面材は、前記面材本体の屋外側に設けられ且つ前記第２壁面において模様としての柄を形成している柄形成層（柄形成層）を有していることで、前記第１壁面材よりも厚み寸法が大きくされており、前記スペーサ部材の厚み寸法は前記柄形成層の厚み寸法と同じにされている。
【００２２】
第６の発明によれば、スペーサ部材の厚み寸法を、第２壁面材の柄形成層の厚み寸法と同じにすればよいため、スペーサ部材として使用する板材の選定作業や、スペーサ部材の製作作業の容易化を図ることができる。
【００２３】
また、壁面材において、面材本体の屋外側面は、模様を形成していないことに起因して柄形成層の屋外側面に比べて平坦面になっている（凹凸が小さい）と考えられる。つまり、第１壁面が第１壁面材の面材本体により形成されている場合、その第１壁面は、第２壁面材の柄形成層により形成された第２壁面に比べて平坦面になっていると考えられる。このため、第１壁面にスペーサ部材が重ねられた構成では、第２壁面にスペーサ部材が重ねられた構成に比べて、壁面の凹凸によりスペーサ部材が壁厚み方向に傾くということを抑制できる。したがって、外壁と支持ブラケットとの間にスペーサ部材が挟み込まれた構成において、支持ブラケットを外壁に対して壁厚み方向に傾いた状態ではなく適正な状態で設置することができる。
【００２４】
第７の発明は、第１乃至第６のいずれかの発明において、前記外壁と前記軒天板との境界部には、前記第１壁面と前記第２壁面との間の段差を跨いで前記壁幅方向に沿って延びている見切部材（見切部材６５）が設けられており、前記見切部材は、前記第１壁面及び前記第２壁面に対して取り付けられた各支持ブラケットに掛け渡された状態で、それら支持ブラケットにより支持されている。
【００２５】
第７の発明によれば、軒天板の見切部材が支持ブラケットにより支持されている構成において、第１壁面と支持ブラケットとの間にスペーサ部材が設けられているため、第１壁面に対して取り付けられた支持ブラケットと、第２壁面に対して取り付けられた支持ブラケットとで、見切部材に対する相対的な位置関係が均一にされている。したがって、支持ブラケットが軒天板及び見切部材の両方を適正な状態で支持する構成を実現できる。
【００２６】
第８の発明は、第７の発明において、前記軒天板は、前記軒天支持部の上に載せられた状態で前記支持ブラケットにより支持されており、前記見切部材は、前記軒天支持部を下方から覆い隠した状態で設けられている。
【００２７】
軒天板と外壁との境界部については、第１壁面と軒天板との間の隙間が第２壁面と軒天板との間の隙間より大きいことに起因して、その境界部を下方から見上げた場合に、第１壁面に対して取り付けられた支持ブラケットが第２壁面に対して取り付けられた支持ブラケットより目立ちやすいことが懸念される。
【００２８】
これに対して、第８の発明によれば、支持ブラケットの軒天支持部が見切部材により覆い隠されているため、第１壁面に対して取り付けられた支持ブラケットが目立ちにくいことはもちろんのこと、第２壁面に対して取り付けられた支持ブラケットが目立ちにくい構成を実現できる。
【００２９】
第９の発明は、第１乃至第８のいずれかの発明において、前記壁固定部及び前記スペーサ部材を貫通して前記外壁に打ち込まれていることで、前記支持ブラケットを前記外壁に固定している固定具（固定具５７）を備えている。
【００３０】
第９の発明によれば、支持ブラケットの壁固定部と第１壁面との間にスペーサ部材が設けられた構成であっても、その壁固定部をスペーサ部材ごと第１壁面（外壁）に対して好適に固定することができる。
【図面の簡単な説明】
【００３１】
【図１】建物における軒部周辺の縦断面図
【図２】外壁に対する軒天板の固定構成を示す図
【図３】スペーサ部材を示す図
【図４】軒部周辺の分解斜視図
【図５】別の外壁を示す平面図
【発明を実施するための形態】
【００３２】
以下、本発明を具体化した一実施形態を図面に基づいて説明する。図１は建物１０における軒部４５周辺の縦断面図、図２は外壁１１に対する軒天板４６の固定構成を示す図である。なお、図２においては、（ａ）に外壁１１周辺の断面図を示し、（ｂ）に（ａ）のＡ−Ａ線断面図を示し、（ｃ）に（ａ）のＢ−Ｂ線断面図を示す。また、（ａ）においては、補助部材２７や上梁１５等の図示を省略している。
【００３３】
図１に示すように、住宅等の建物１０は、外壁１１と、外壁１１の上方に設けられた屋根部１２とを有している。外壁１１は、建物躯体に取り付けられている。建物１０は、建物躯体として、居住空間の上方に設けられた上梁１５と、居住空間の下方に設けられた下梁（図示略）とを有しており、外壁１１は、上梁１５と下梁とに上下に掛け渡された状態で設けられている。外壁１１においては、その上端部が上梁１５に対して固定され、下端部が下梁に対して固定されている。上梁１５及び下梁は、いずれも鋼材としてのＨ形鋼により形成されており、溝部を側方に向けた状態で水平方向に延びている。
【００３４】
外壁１１は、外壁面を形成する外壁面材２１と、外壁面材２１を支持している下地部材２３とを有している。外壁面材２１は、軽量コンクリート等の外装材により板状に形成されており、上下方向に延びた中空部２２を有している。中空部２２は、外壁面材２１の幅方向に沿って所定間隔で複数並べられており、各中空部２２の上端及び下端は上方及び下方にそれぞれ開放されている。なお、下地部材２３が、外壁下地を構成している。
【００３５】
なお、外壁が、壁面材とその壁面材の屋内側に配置された下地フレームとを含んで構成されていることがあるが、この構成では、壁面材が窯業系サイディングボード等により薄板状に形成されているのに対して、本実施形態では、外壁面材２１が厚板状に形成されており、薄板状の壁面材より厚み寸法が大きくされている。
【００３６】
図２（ａ）に示すように、外壁１１においては、外壁面材２１が複数横並びに配置されている。複数の外壁面材２１には、模様としての柄が付与されていない柄無し壁面材２１Ａと、柄が付与された柄付き壁面材２１Ｂとが含まれている。これら壁面材２１Ａ，２１Ｂは、下地部材２３を介して建物躯体に固定された面材本体２４をそれぞれ有しており、中空部２２は、この面材本体２４を上下に貫通した状態で中空部２２が設けられている。
【００３７】
壁面材２１Ａ，２１Ｂのうち、柄付き壁面材２１Ｂは、面材本体２４に加えて、柄を形成する柄形成層２５を有している。柄付き壁面材２１Ｂにおいて、柄形成層２５は、面材本体２４の屋外側に設けられており、柄形成層２５の屋外側面が柄付き壁面材２１Ｂの仕上面（壁面）を形成している。柄形成層２５は、意匠性の向上などを目的として、屋外側に向けて突出した多数の凸部を有している。
【００３８】
柄付き壁面材２１Ｂの厚み寸法は、柄無し壁面材２１Ａの厚み寸法より大きくなっており、これら壁面材２１Ａ，２１Ｂは背面同士が面一となるように並べられている。この場合、柄付き壁面材２１Ｂと柄無し壁面材２１Ａとの境界部においては、壁高さ方向に延びた段差が形成されている。柄無し壁面材２１Ａは、柄付き壁面材２１Ｂとは異なり、柄形成層２５を有しておらず、面材本体２４の屋外側面が柄無し壁面材２１Ａの仕上面を形成している。柄無し壁面材２１Ａにおいては、面材本体２４の屋外側面が平坦面になっていることで、仕上面が平坦面になっている。面材本体２４の厚み寸法は、柄付き壁面材２１Ｂと柄無し壁面材２１Ａとで同じにされており、柄形成層２５の厚み寸法Ｄ１が、柄無し壁面材２１Ａと柄付き壁面材２１Ｂとの間の段差の高さ寸法になっている。
【００３９】
隣り合う外壁面材２１の間の目地部分（隙間部分）には、ガスケット等の止水部材（図示略）が設けられている。止水部材は、目地部分に沿って壁高さ方向に沿って延びている。なお、図２（ａ）においては、隣り合う外壁面材２１の境界線Ｌを仮想線で図示している。
【００４０】
なお、柄無し壁面材２１Ａが第１壁面材に相当し、その壁面が第１壁面に相当する。また、柄付き壁面材２１Ｂが第２壁面材に相当し、その壁面が第２壁面に相当する。ちなみに、柄付き壁面材２１Ｂにおいては、柄形成層２５の厚み寸法が面材本体２４の厚み寸法より小さくされている。
【００４１】
図１の説明に戻り、下地部材２３は、外壁面材２１の背面に対して固定されており、屋内側に向けて突出した状態で設けられている。下地部材２３は、例えばＬ字状のアングル材により形成されており、互いに交差する一対の板部のうち、一方が外壁面材２１の背面に重ねられ、他方が屋内側に向けて延出した状態で設けられている。下地部材２３は、補助部材２７を介して上梁１５に固定されている。補助部材２７は、上梁１５の下面に沿って延びている板状の鋼材であり、溶接等によりその上梁１５に溶接等により固定されている。下地部材２３は、補助部材２７の下面に対して溶接等により固定されている。
【００４２】
屋根部１２は、寄棟屋根や切妻屋根などの傾斜屋根を構成するものであり、棟から軒先に向けて斜め下方に傾斜している。屋根部１２は、棟から軒先に向けて延びる垂木３１と、垂木３１の上に設けられた屋根下地材としての野地板３２と、野地板３２の上に設けられた屋根仕上材としての瓦３３とを有している。垂木３１は、その垂木３１を下方から支持する支持金物３４を挟んで上梁１５の上に載置されており、棟及び軒先が延びる方向に所定間隔で複数並べて配置されている。
【００４３】
なお、野地板３２、瓦３３及び支持金物３４は、それぞれ屋根パネル、屋根葺材及び束材と称してもよい。また、屋根部１２には、垂木３１と直交する方向に延びる母屋材３６が設けられている。
【００４４】
屋根部１２において垂木３１の軒先側端部には、垂木３１の軒先側端面等を隠す鼻隠し部４１が取り付けられている。鼻隠し部４１は、軒先に沿って延びる長尺状の鼻先木４２と、鼻隠し部４１の露出面を形成する鼻先化粧板４３とを有している。鼻先木４２は、木材等の材料により形成された長尺材であり、複数の垂木３１に架け渡された状態で設けられている。鼻先化粧板４３は金属材料や合成樹脂材料により形成されており、鼻先木４２における垂木３１とは反対側（外側）から鼻先木４２の下方に回り込んだ形状とされている。鼻先化粧板４３は、鼻先木４２の外側面に対向する部分と、鼻先木４２の下面に対向する部分とを有しており、鼻先木４２の外側面に対向する部分が鼻先木４２に対して固定されている。
【００４５】
鼻隠し部４１を挟んで垂木３１とは反対側には雨樋４４が設けられている。雨樋４４は鼻隠し部４１に沿って延びており、鼻隠し部４１の外側面に取り付けられている。
【００４６】
屋根部１２における外壁１１よりも側方に突出した部分は軒部４５とされており、軒部４５の下方には、軒天井を形成する軒天板４６が設けられている。軒天板４６は合成樹脂材料により形成され、耐水性を有している。軒天板４６の下面は水平方向に延びており、軒天部分の天井面を形成している。軒天板４６は、外壁１１の上部と屋根部１２の軒先（鼻隠し部４１）とに架け渡された状態で、軒先及び外壁１１に沿って延びている。軒天板４６においては、軒先側端部が鼻隠し部４１により屋根部１２の軒先に対して固定されているとともに、外壁側端部が外壁１１の上端部よりも下方において支持ブラケット５１を介して外壁１１に対して固定されている。軒天板４６においては、軒先側端部と外壁側端部との高さ位置が同じとされている。
【００４７】
軒天板４６は、柄無し壁面材２１Ａと柄付き壁面材２１Ｂとの境界部を壁幅方向に跨いだ状態で設けられており、それら壁面材２１Ａ，２１Ｂからは屋外側に離間した位置に配置されている。軒天板４６においては、外壁１１側の端部が壁幅方向に沿って直線状に延びており、軒天板４６と柄無し壁面材２１Ａとの離間距離は、軒天板４６と柄付き壁面材２１Ｂとの離間距離に比べて、柄形成層２５の厚み寸法Ｄ１の分だけ大きくなっている。
【００４８】
鼻隠し部４１に対する軒天板４６の固定構成について説明すると、鼻隠し部４１の鼻先化粧板４３においては、鼻先木４２の下面に対向する部分が鼻先木４２から下方に離間しており、その隙間に軒天板４６の軒先側端部が入り込んでいる。軒天板４６の軒先側端部は鼻先木４２の下面に対してビス等により固定されており、軒天板４６の端面が鼻先木４２の外側面とともに鼻先化粧板４３により覆い隠されている。
【００４９】
外壁１１に対する軒天板４６の固定構成について、図１〜図４を参照しつつ説明する。図３はスペーサ部材７１を示す図、図４は軒部４５周辺の分解斜視図である。なお、図３においては、（ａ）に第１板材７２側から見たスペーサ部材７１の正面図を示し、（ｂ）にスペーサ部材７１の側面図を示す。また、図４においては、上梁１５や鼻隠し部４１などの図示を省略している。
【００５０】
図１、図２に示すように、支持ブラケット５１は、外壁面材２１の屋外側に配置されており、外壁面材２１に対して固定されている。支持ブラケット５１は、壁幅方向に沿って所定間隔で複数並べられており、各支持ブラケット５１は、外壁面材２１の上端から下方に離間した位置に配置されている。支持ブラケット５１は、外壁１１に固定された壁固定部５３と、軒天板４６を支える軒天支持部５４と、壁固定部５３と軒天支持部５４とを連結する連結部５５とを有している。支持ブラケット５１は、可撓性を有する金属製の薄板が厚み方向に折り曲げられることで形成されており、壁固定部５３、軒天支持部５４及び連結部５５は、いずれも板部により形成されている。支持ブラケット５１は、各板部の板面が壁幅方向に沿って延びた向きで、外壁面材２１に対してビス等の固定具５７により固定されている。
【００５１】
壁固定部５３は、壁高さ方向に延びている長尺状の板部であり、一方の板面が外壁面材２１の屋外側面に対向している。壁固定部５３は、その上端部が外壁面材２１の上端から下方に離間した位置に配置されており、その下端部に連結部５５を介して軒天支持部５４が連結されている。
【００５２】
連結部５５は、上下方向において壁固定部５３と軒天支持部５４との間に設けられており、軒天支持部５４を壁固定部５３に比べて外壁１１から遠ざかった位置にて保持している。連結部５５は、壁固定部５３の下端部から外壁１１とは反対側に向けて延びた側方延出部５５ａと、側方延出部５５ａの屋外側端部から下方に向けて延びた下方延出部５５ｂとを有しており、下方延出部５５ｂの下端部に軒天支持部５４が接続されている。
【００５３】
軒天支持部５４は、外壁１１とは反対側に向けて開放された支持溝５４ａを有しており、その支持溝５４ａに軒天板４６の端部が入り込んだ状態になっていることで、その軒天板４６を支えている。軒天支持部５４は、全体としてコ字状に形成されており、軒天支持部５４の外周面は支持溝５４ａの内周面に沿って延びている。軒天支持部５４においては、軒天板４６の端面に対向する対向板部と、その対向板部を挟んで上下に配置された一対の延出板部とを有しており、これら対向板部及び延出板部により支持溝５４ａが形成されている。軒天板４６は支持溝５４ａに嵌合されており、その支持溝５４ａ内において、下側の延出板部の上に載せられた状態になっている。
【００５４】
軒天支持部５４は、連結部５５の下方延出部５５ｂから外壁１１側に突出した状態で、その下方延出部５５ｂに接続されている。この場合、下方延出部５５ｂの下端には、軒天支持部５４の溝開放側の端部（上側の延出板部の自由端側）が接続されている。壁幅方向において、軒天支持部５４の厚み寸法が連結部５５の側方延出部５５ａの長さ寸法より小さくされている。この結果、軒天支持部５４の対向板部が壁固定部５３に比べて外壁１１から離間した位置に配置されている。
【００５５】
軒天板４６と外壁１１との境界部には、軒天板４６の端部に沿って壁幅方向に延びている見切部材６５が設けられている。見切部材６５は、合成樹脂材料により長尺状に形成されている。見切部材６５は、軒天板４６の端部を外壁１１側から覆う覆い部６５ａと、支持ブラケット５１の支持溝５４ａ内に入り込んでいる入り込み部６５ｂとを有している。見切部材６５は、隣り合う支持ブラケット５１に掛け渡された状態で設けられており、入り込み部６５ｂが、軒天板４６の下面と支持ブラケット５１の軒天支持部５４との間に挟まれた状態になっていることで、支持ブラケット５１に対して固定されている。
【００５６】
見切部材６５の覆い部６５ａは、軒天板４６の端部に加えて、各支持ブラケット５１の軒天支持部５４を外壁１１側から覆い隠している。覆い部６５ａは、軒天支持部５４の下側の延出板部を下方から覆い隠しており、入り込み部６５ｂは、覆い部６５ａにおける外壁１１とは反対側の端部から支持溝５４ａ内に向けて延びている。
【００５７】
図２（ａ），（ｂ），（ｃ）に示すように、柄付き壁面材２１Ｂに取り付けられた支持ブラケット５１においては、壁固定部５３が柄付き壁面材２１Ｂの壁面に直接的に重ねられている一方で、柄無し壁面材２１Ａに取り付けられ支持ブラケット５１においては、壁固定部５３がスペーサ部材７１を挟んで柄無し壁面材２１Ａの壁面に重ねられている。
【００５８】
スペーサ部材７１は、柄無し壁面材２１Ａの壁面に重ねられた板状部材であり、柄無し壁面材２１Ａの壁面に対する支持ブラケット５１の位置を調整する調整手段に相当する。スペーサ部材７１の厚み寸法Ｄ２（例えば８ｍｍ）は、柄付き壁面材２１Ｂの柄形成層２５の厚み寸法Ｄ１と同じ大きさとされており、スペーサ部材７１の屋外側面（柄無し壁面材２１Ａとは反対側の壁面）は、柄付き壁面材２１Ｂの壁面と面一になっている。この場合、柄無し壁面材２１Ａに取り付けられた支持ブラケット５１と、柄付き壁面材２１Ｂに取り付けられた支持ブラケット５１とは、壁幅方向において軒天板４６の端部に沿って直線状に並べられており、壁厚み方向についての軒天板４６に対する位置関係が互いに同じになっている。
【００５９】
固定具５７は、柄無し壁面材２１Ａ及び柄付き壁面材２１Ｂのいずれに対しても支持ブラケット５１の壁固定部５３を貫通して打ち込まれている。固定具５７の長さ寸法は、スペーサ部材７１の厚み寸法Ｄ２（柄形成層２５の厚み寸法Ｄ１）よりも大きく、且つ固定具５７の先端が面材本体２４の中空部２２に達しない大きさとされている。例えば、面材本体２４において、中空部２２の屋外側部分の肉厚寸法がＤ３である場合、固定具５７の長さ寸法は、Ｄ２よりも大きい一方で、Ｄ２＋Ｄ３よりも小さくされている。このため、柄無し壁面材２１Ａ及び柄付き壁面材２１Ｂのいずれに打ち込まれた固定具５７でも、その先端が面材本体２４にまで達しており、支持ブラケット５１を面材２１Ａ，２１Ｂに対して適正な状態で固定していることになる。
【００６０】
スペーサ部材７１の幅寸法は、支持ブラケット５１の壁固定部５３の幅寸法よりも大きくされている。この場合、壁幅方向においては、壁固定部５３の全体がスペーサ部材７１に重ねられた状態になっている。また、スペーサ部材７１の高さ寸法は、支持ブラケット５１の壁固定部５３の高さ寸法よりも小さくされている。この場合、壁固定部５３の上端は支持ブラケット５１の上端と同じ高さ位置に配置されており、壁固定部５３がスペーサ部材７１から下方に向けて突出した状態になっている。
【００６１】
支持ブラケット５１においては、壁固定部５３の下部や連結部５５が弾性変形することで、軒天支持部５４が壁厚み方向に変位することが可能になっている。柄無し壁面材２１Ａ及び柄付き壁面材２１Ｂのいずれに取り付けられた支持ブラケット５１においても、軒天支持部５４は壁面から屋外側に離間しており、軒天支持部５４は、壁面から遠ざかる側に移動することはもちろんのこと、壁面に近付く側に移動することが可能になっている。なお、軒天支持部５４と壁面との離間距離は、柄付き壁面材２１Ｂに関する構成の方が、柄無し壁面材２１Ａに関する構成よりも小さくなっている。
【００６２】
軒天板４６と外壁１１との境界部には、軒天支持部５４と外壁１１との間の隙間を塞ぐ状態で網部材７４が設けられている。網部材７４は、長尺板状に形成されており、壁固定部５３と外壁１１との間の隙間に沿って延びている。網部材７４は、軒天板４６の上側において、軒天支持部５４の上に載せられた状態で設置されており、壁厚み方向において軒天支持部５４と外壁１１とに掛け渡された状態になっている。壁厚み方向において網部材７４の幅寸法は、壁固定部５３と柄無し壁面材２１Ａとの離間距離よりも大きい一方で、連結部５５の下方延出部５５ｂと柄付き壁面材２１Ｂとの離間距離よりも小さくされている。つまり、支持ブラケット５１が柄無し壁面材２１Ａに取り付けられた部分、及び支持ブラケット５１が柄付き壁面材２１Ｂにとりつけられた部分のいずれであっても、軒天板４６の上側において、下方延出部５５ｂと外壁１１との間に網部材７４を設置することが可能になっている。
【００６３】
図３（ａ），（ｂ）に示すように、スペーサ部材７１は、全体として略長方形状に形成されている。スペーサ部材７１は、その長手方向が壁幅方向になる向きで設置されている。スペーサ部材７１は、板面同士で互いに重ねられた複数（例えば２個）の板材７２，７３を有している。板材７２，７３は、例えば合成樹脂材料により略長方形状に形成されており、幅寸法及び高さ寸法は同じにされている。その一方で、板材７２，７３のうち、第１板材７２の厚み寸法Ｄ２ａ（例えば５ｍｍ）は、第２板材７３の厚み寸法Ｄ３（例えば３ｍｍ）よりも大きくされている。スペーサ部材７１においては、第１板材７２が屋外側に配置され、第２板材７３が外壁１１側に配置されている。この場合、支持ブラケット５１の壁固定部５３が第１板材７２に重ねられており、第２板材７３が柄無し壁面材２１Ａに重ねられていることになる。
【００６４】
板材７２，７３は、それぞれ両板面に多数の凹部７５を有している。例えば、凹部７５は六角形とされており、板面に沿って所定間隔で規則的に並べられている。この場合、スペーサ部材７１の両板面にも多数の凹部７５が配置されていることになる。このため、仮に、柄無し壁面材２１Ａの壁面に塗料の塊など微小な凸部が存在していたとしても、その凸部がスペーサ部材７１の凹部７５内に入り込んだ状態でスペーサ部材７１が設置されることで、スペーサ部材７１を柄無し壁面材２１Ａの壁面に対して平行に配置することができる。また、仮に、支持ブラケット５１の壁固定部５３に微小な凸部が存在していたとしても、その凸部がスペーサ部材７１の凹部７５内に入り込んだ状態で、壁固定部５３がスペーサ部材７１に重ねられることで、壁固定部５３をスペーサ部材７１の板面に対して平行に配置することができる。
【００６５】
図４に示すように、柄無し壁面材２１Ａの壁面には、墨出し作業により直線等の目印Ａが付与されており、支持ブラケット５１は、目印Ａを基準として位置合わせされている。目印Ａは、支持ブラケット５１の壁固定部５３の上端位置を示す目印になっている。ここで、上述したように、支持ブラケット５１の壁固定部５３の上端とスペーサ部材７１の上端とは同じ高さ位置に配置されているため、目印Ａは、スペーサ部材７１の上端位置も示していることになる。なお、柄付き壁面材２１Ｂにも目印Ａが付与されており、柄付き壁面材２１Ｂに取り付けられる支持ブラケット５１の高さ位置も目印Ａを基準として設定されている。
【００６６】
柄無し壁面材２１Ａに対しては、複数の支持ブラケット５１が取り付けられている。この場合、各支持ブラケット５１の壁固定部５３と柄無し壁面材２１Ａとの間には、それぞれスペーサ部材７１が挟み込まれた状態で設けられている。このため、支持ブラケット５１に加えて、スペーサ部材７１も壁幅方向に沿って所定間隔で複数並べて配置されていることになる。
【００６７】
軒天部分においては、壁幅方向に沿って、支持ブラケット５１に加えて、軒天板４６及び見切部材６５も複数並べて配置されている。隣り合う軒天板４６において、互いに対向する各端面の一方には凸部が設けられ、他方には凹部が設けられており、それら凸部と凹部とが嵌合することにより軒天板４６同士が連結されている。見切部材６５は軒天板４６の端部に沿って延びる長尺部材であり、隣り合う見切部材６５は繋ぎ部材６６により連結されている。繋ぎ部材６６は、見切部材６５の覆い部６５ａの内側に挿し入れられており、隣り合う見切部材６５に架け渡された状態となることでそれら見切部材６５を連結している。
【００６８】
以上詳述した本実施形態によれば、以下の優れた効果が得られる。
【００６９】
スペーサ部材７１の厚み寸法Ｄ２が柄付き壁面材２１Ｂの柄形成層２５の厚み寸法Ｄ１と同じにされているため、壁厚み方向において軒天板４６に対する位置関係を、柄無し壁面材２１Ａに取り付けられた支持ブラケット５１と、柄付き壁面材２１Ｂに取り付けられた支持ブラケット５１とで同じにすることができる。このため、柄無し壁面材２１Ａに取り付けられた支持ブラケット５１を大型のものとしなくても、軒天支持部５４の支持溝５４ａに軒天板４６の端部が適正に入り込んで支持された状態にすることができる。このため、柄無し壁面材２１Ａ及び柄付き壁面材２１Ｂのそれぞれに合わせて複数種類の支持ブラケット５１を専用品として準備したり使い分けたりする必要がない。これにより、外壁１１に対する軒天板４６の固定に関して作業負担やコスト負担の増加を抑制できる。
【００７０】
スペーサ部材７１の上端が支持ブラケット５１の壁固定部５３の上端と同じ高さ位置に配置されているため、スペーサ部材７１の上端が壁固定部５３の上端よりも高い位置に配置された構成とは異なり、スペーサ部材７１により目印Ａを覆い隠してしまうということを回避できる。このため、柄無し壁面材２１Ａと支持ブラケット５１との間にスペーサ部材７１を挟み込む構成であっても、支持ブラケット５１の取り付け位置を目印Ａを基準として正確に設定することができる。
【００７１】
スペーサ部材７１が複数の板材７２，７３を有しているため、柄形成層２５の厚み寸法Ｄ１に合わせた専用品としてスペーサ部材７１を製作する必要がなく、汎用品の板材を板材７２，７３として複数用いることでスペーサ部材７１を形成することができる。これにより、スペーサ部材７１に関してコスト負担の低減を実現できる。また、重ねる板材７２，７３の枚数を変更することでスペーサ部材７１の厚み寸法Ｄ２を容易に変更することができる。
【００７２】
柄無し壁面材２１Ａの壁面は、面材本体２４の屋外側面により形成されているため、柄付き壁面材２１Ｂの壁面に比べて平坦部分を確保しやすい。このため、柄無し壁面材２１Ａの壁面にスペーサ部材７１が重ねられる構成において、スペーサ部材７１が壁面の凹凸により壁厚み方向に傾くということを抑制できる。したがって、柄無し壁面材２１Ａと支持ブラケット５１との間にスペーサ部材７１が挟み込まれた構成において、支持ブラケット５１を外壁１１に対して壁厚み方向に傾いた状態ではなく、適正な状態で設置することができ、ひいては、支持ブラケット５１の軒天支持部５４の支持溝５４ａ内に軒天板４６を適正な状態で入り込ませることができる。
【００７３】
見切部材６５が支持ブラケット５１により支持されている構成において、軒天板４６に対する各支持ブラケット５１の相対位置がスペーサ部材７１により均一にされているため、軒天板４６に対する位置関係が柄無し壁面材２１Ａと柄付き壁面材２１Ｂとで異なっていても、見切部材６５が軒天板４６の端部に沿って直線状に延びている状態を保持できる。これにより、例えば見切部材６５が軒天板４６の端部に対して歪んでいる構成とは異なり、軒天部分の意匠性が見切部材６５により低下するということを回避できる。
【００７４】
見切部材６５により支持ブラケット５１の軒天支持部５４が覆い隠されているため、軒天部分の意匠性が支持ブラケット５１により低下するということを回避できる。
【００７５】
［他の実施形態］
本発明は上記実施形態の記載内容に限定されず、例えば次のように実施されてもよい。
【００７６】
（１）上記実施形態では、柄形成層２５の有無により柄無し壁面材２１Ａと柄付き壁面材２１Ｂとの間に段差が生じていたが、柄形成層２５の有無に関係なく第１壁面材と第２壁面材との間に段差が生じていてもよい。例えば、図５に示すように、第１壁面材８１Ａと、その第１壁面材８１Ａよりも屋外側に突出した位置に壁面を有する第２壁面材８１Ｂとが隣り合わせに配置され、これら第１壁面材８１Ａと第２壁面材８１Ｂとの間に段差が形成された構成とする。
【００７７】
また、スペーサ部材７１の厚み寸法は、第１壁面材８１Ａと第２壁面材８１Ｂとの間の段差の大きさに合わせて調整されてもよい。例えば、図５（ｂ），（ｃ）において、第１壁面材８１Ａと第２壁面材８１Ｂとの間の段差の高さ寸法Ｄ４ａが、スペーサ部材７１の厚み寸法Ｄ２よりも小さく、且つ第１板材７２の厚み寸法Ｄ２ａと同じにされている。この場合、第１板材７２だけをスペーサ部材として第１壁面材８１Ａに重ねることで、第１板材７２の屋外側面が第２壁面材８１Ｂと面一になる。このため、支持ブラケット５１の壁固定部５３を第１板材７２に重ねることで、この支持ブラケット５１と軒天板４６との位置関係を、第２壁面材８１Ｂに直接取り付けられた支持ブラケット５１と軒天板４６との位置関係に同じにすることができる。
【００７８】
同様に、図５（ａ），（ｄ）において、第１壁面材８１Ａと第２壁面材８１Ｂとの間の段差の高さ寸法Ｄ４ｂが、スペーサ部材７１の厚み寸法Ｄ２及び第１板材７２の厚み寸法Ｄ２ａよりも小さく、且つ第２板材７３の厚み寸法Ｄ２ｂと同じにされている。この場合、第２板材７３だけをスペーサ部材として第１壁面材８１Ａに重ねることで、その第２板材７３の屋外側面が第２壁面材８１Ｂと面一になる。このため、第２板材７３だけを介して第１壁面材８１Ａに取り付けられた支持ブラケット５１と軒天板４６との位置関係を、第２壁面材８１Ｂに直接取り付けられた支持ブラケット５１と軒天板４６との位置関係に同じにすることができる。
【００７９】
第１壁面材８１Ａ及び第２壁面材８１Ｂは、窯業系サイディングボード等により薄板状に形成されていてもよい。この場合、薄板状の第１壁面材８１Ａや第２壁面材８１Ｂを支持する下地部材２３は、長尺状のフレーム部材とされていてもよい。例えば、図５（ａ），（ｄ）に、第１壁面材８１Ａが薄板状に形成され、その第１壁面材８１Ａを支持する下地部材２３が横長のフレーム部材とされた構成を示し、図５（ｂ），（ｃ）に、第２壁面材８１Ｂが薄板状に形成され、その第２壁面材８１Ｂを支持する下地部材２３が横長のフレーム部材とされた構成を示している。第１壁面材８１Ａ及び第２壁面材８１Ｂのうち一方が厚板状に形成され、他方が薄板状に形成されている構成では、これら壁面材８１Ａ，８１Ｂの背面同士が面一にされていなくてもよい。
【００８０】
さらに、第１壁面材８１Ａ及び第２壁面材８１Ｂがいずれも柄形成層２５を有していてもよい。この場合、第１壁面材８１Ａの柄形成層２５の厚み寸法が、第２壁面材８１Ｂの柄形成層２５の柄形成層２５の厚み寸法より小さくされていることで、第２壁面材８１Ｂの壁面が第１壁面材８１Ａの壁面よりも屋外側に突出した位置に配置された構成を実現できる。
【００８１】
（２）上記実施形態では、スペーサ部材７１が２個の板材７２，７３を有していたが、スペーサ部材７１が有する板材は、１個でもよく、３個以上でもよい。また、スペーサ部材７１においては、複数の板材７２，７３の厚み寸法が同じにされていてもよい。
【００８２】
（３）上記実施形態では、第２壁面材８１Ｂの壁面が第２壁面として、第１壁面材８１Ａの第２壁面よりも屋外側に突出した位置に配置されていたが、１つの壁面材が第１壁面材及び第２壁面を有していてもよい。例えば、部分的に突出した形状の１つの壁面材において、突出していない部分が第１壁面を形成し、突出した部分が第２壁面を形成した構成とする。
【００８３】
（４）上記実施形態では、支持ブラケット５１の軒天支持部５４が見切部材６５により覆い隠されていたが、軒天支持部５４は見切部材６５により覆い隠されていなくてもよい。例えば、軒天板４６に加えて見切部材６５が、軒天支持部５４の支持溝５４ａ内に入り込んだ構成とする。
【符号の説明】
【００８４】
１０…建物、１１…外壁、２１…外壁面材、２１Ａ…第１壁面材としての柄無し壁面材、２１Ｂ…第２壁面材としての柄付き壁面材、２３…外壁下地を構成する下地部材、２４…面材本体、２５…柄形成層、５１…支持ブラケット、５３…壁固定部、５４…軒天支持部、５７…固定具、６５…見切部材、７１…スペーサ部材、７２…第１板材、７３…第２板材、８１Ａ…第１壁面材、８１Ｂ…第２壁面材。
【図１】
2015094144.tif 000003
【図２】
2015094144.tif 000004
【図３】
2015094144.tif 000005
【図４】
2015094144.tif 000006
【図５】
2015094144.tif 000007